(57)【要約】【課題】大型の映像表示部を備える等により，操作器からの信号光の導入位置を上下に離れて配置すると上側の信号光導入位置が天井（室内照明）に近い位置となる映像表示装置において，インバータ式照明の下に置かれた場合でも，装置本体から操作器までの距離の遠近によらず，操作器からの信号光を正常に検出できること。【解決手段】第１の光導入位置Ｐ１から導入される信号光の光電変換及び光電変換後の電気信号に基づいて信号光の変調内容に応じたメイン検出信号を生成するメイン受信部１０，第１の光導入位置Ｐ１よりも上方に位置する第２の光導入位置Ｐ２から導入される信号光の光電変換及び光電変換後の電気信号に基づいて信号光の変調内容に応じたサブ検出信号を生成し，メイン受信部１０よりも信号光強度に対する検出信号生成感度が低いサブ受信部２０を備え，メイン検出信号及びサブ検出信号に基づいて信号光の変調内容に応じた処理を実行する。【選択図】図１
2008199434.tif 000002
【特許請求の範囲】
【請求項１】
外部の操作器から送信される信号光を受光し，該信号光の変調内容に応じた処理を実行する映像表示装置であって，
第１の光導入位置から導入される前記信号光の光電変換を行う第１の光電変換手段及びその光電変換後の電気信号に基づいて前記信号光の変調内容に応じた第１の検出信号を生成する第１の信号生成手段を備えた１又は複数の第１の受信手段と，
前記第１の光導入位置よりも上方に位置する第２の光導入位置から導入される前記信号光の光電変換を行う第２の光電変換手段及びその光電変換後の電気信号に基づいて前記信号光の変調内容に応じた第２の検出信号を生成する第２の信号生成手段を備え，前記第１の受信手段よりも導入される前記信号光の強度に対する検出信号生成の感度が低い１又は複数の第２の受信手段と，
前記第１の検出信号及び前記第２の検出信号に基づいて前記信号光の変調内容に応じた処理を実行する情報処理手段と，
を具備してなることを特徴とする映像表示装置。
【請求項２】
前記第１の光導入位置が映像表示部よりも下側の位置又は前記映像表示部の下端近傍の位置であり，
前記第２の光導入位置が前記映像表示部よりも上側の位置又は前記映像表示部の上端近傍の位置である請求項１に記載の映像表示装置。
【請求項３】
前記第２の受信手段が，
前記第２の光導入位置から前記第２の光電変換手段までの光路において，前記第２の光電変換手段により受光される前記信号光の光エネルギーを低下させることにより，前記第１の受信手段よりも前記検出信号生成の感度を低下させる光減衰手段を具備してなる請求項１又は２のいずれかに記載の映像表示装置。
【請求項４】
前記光減衰手段が，
前記信号光の透過を制限する光フィルタ，前記信号光の光路の一部を遮る遮光手段又は前記信号光をその一部が前記第２の光電変換手段の受光部以外へ到達するよう導く導光手段のいずれかである請求項３に記載の映像表示装置。
【請求項５】
前記第２の信号生成手段による電気信号の検出感度が，前記第１の信号生成手段における電気信号の検出感度よりも低いものである請求項１又は２のいずれかに記載の映像表示装置。
【請求項６】
前記第２の信号生成手段における電気信号の検出感度を変更する感度調節手段を具備してなる請求項５に記載の映像表示装置。
【請求項７】
前記情報処理手段により前記第２の検出信号に基づいて前記信号光の変調内容に応じた処理を実行しない調整モードとそれを解除したモードとを切り替えるモード切替手段と，
前記調整モードであるときの前記第２の検出信号の状態に基づいて，前記感度調節手段を通じて前記第２の信号生成手段における電気信号の検出感度を自動調節する感度自動調節手段と，を具備してなる請求項６に記載の映像表示装置。
【請求項８】
前記第２の光電変換手段による光電変換の感度が前記第１の光電変換手段による光電変換の感度よりも低いものである請求項１又は２のいずれかに記載の映像表示装置。
【請求項９】
前記情報処理手段が，前記第１の検出信号と前記第２の検出信号との論理和信号又は前記第１の検出信号と前記第２の検出信号とを合成した信号に基づいて処理を実行してなる請求項１〜７のいずれかに記載の映像表示装置。
【請求項１０】
前記信号光が赤外線光である請求項１〜９のいずれかに記載の映像表示装置。
【請求項１１】
外部の操作器から送信される信号光を受光し，該信号光の変調内容に応じた処理を実行する電子機器であって，
第１の光導入位置から導入される前記信号光の光電変換を行う第１の光電変換手段及びその光電変換後の電気信号に基づいて前記信号光の変調内容に応じた第１の検出信号を生成する第１の信号生成手段を備えた第１の受信手段と，
前記第１の光導入位置よりも上方に位置する第２の光導入位置から導入される前記信号光の光電変換を行う第２の光電変換手段及びその光電変換後の電気信号に基づいて前記信号光の変調内容に応じた第２の検出信号を生成する第２の信号生成手段を備え，前記第１の受信手段よりも導入される前記信号光の強度に対する検出信号生成の感度が低い第２の受信手段と，
前記第１の検出信号及び前記第２の検出信号に基づいて前記信号光の変調内容に応じた処理を実行する情報処理手段と，
を具備してなることを特徴とする電子機器。
【発明の詳細な説明】
【技術分野】
【０００１】
本発明は，外部の操作器から送信される信号光を受光し，その信号光の変調内容に応じた処理を実行する映像表示装置及び電子機器に関するものである。
【背景技術】
【０００２】
従来，テレビジョン受像機（映像表示装置の一例）において，外部の操作器（いわゆるリモコン）から送信される信号光は，装置前面側の所定位置に配置された導光部から装置内に導入され，その信号光がフォトトランジスタ等の光検出センサにより光電変換されるとともに，信号光の変調内容に応じた検出信号（電気信号）が生成される。そして，マイコン（情報処理手段の一例）が，その検出信号に応じた処理，例えば，チャンネル選局処理や音量調節処理などを実行する。
また，テレビジョン受像機の前面は，中央から縁部にかけての大部分が映像表示部（例えば，液晶表示パネル等）で占められるため，前記導光部は，映像表示部の周囲（例えば，下端付近）に配置されている。
そして，映像表示部のサイズが比較的小さいテレビジョン受像機においては，前記導光部が映像表示部の周囲（例えば，下端付近）の１箇所に設けられていれば，操作器が概ね映像表示部に向けられて操作されることにより，特に問題なく信号光が前記光検出センサによって受光され，信号光の変調内容に応じた正常な前記検出信号が得られる。
しかしながら，大型の映像表示部（例えば，５０インチ以上）を備えるテレビジョン受像機においては，前記導光部が映像表示部の周囲の１箇所にしか存在しない場合，比較的近くで操作器が操作された場合，操作器が概ね映像表示部に向けられて操作されても，信号光の広がり角度の制約から，信号光が光検出センサによって受光されない事態が生じ得る。
そこで，大型の映像表示部の周囲の複数箇所に導光部を設け，その導光部それぞれについて光検出センサによる信号光の検出を行なえば，信号光の受光範囲を広げることができ，比較的近くで操作器が操作された場合でも，少なくともいずれかの光検出センサで信号光を検出できる。このため，マイコンにより，それら複数の光検出センサで得られる複数の検出信号の合成信号や，論理和信号に基づいて処理を行なえば，比較的近くで操作器が操作された場合でも正常な動作が保証される。この場合，利用者によって操作される操作器の向きは，左右方向よりも上下方向において特にばらつきが大きいため，前記導光部を映像表示部の下端付近と上端付近とのそれぞれに配置することが望ましい。
また，特許文献１には，２つのリモコン受信部（光検出センサ）を通じて得られる２つの受信信号の一方をマイコンへ，他方を記憶部へ入力させ，マイコンが，一方の受信信号を外来ノイズのために検出できない場合に，記憶部から他方の受信信号を読み出して解析する装置が示されている。
【特許文献１】特開平１１−３５５８６５号公報
【発明の開示】
【発明が解決しようとする課題】
【０００３】
ところで，インバータ式照明器具の光は，リモコン用の信号光のノイズとなることが知られている。このため，例えば，テレビジョン受像機は，インバータ式室内照明の下では，操作器からの信号光（赤外光）を正常に検出できない状態になりやすい結果，操作器によって正常に動作をコントロールできるための本体から操作器までの距離が短くなる。
このことから，大型の映像表示部（例えば，５０インチ以上）を備えるテレビジョン受像機は，映像表示部の上端が天井に近いため，信号光を導入する導光部が映像表示部の上端付近に配置された場合，その導光部にインバータ式室内照明の光が比較的高いパワーで混入し，それがノイズとなって信号光を正常に検出できなくなるという問題点があった。
また，大型の映像表示部の下端付近と上端付近とに信号光を導入する導光部が配置された映像表示装置において，上側の導光部及びこれに対応する光検出センサは，インバータ式室内照明の下ではほとんど機能しない。このため，そのような映像表示装置に特許文献１に示される技術を適用しても，結局は信号光の受光範囲を広げることができず，比較的近くで操作器が操作された場合に信号光が光検出センサによって検出されない事態が生じやすいという問題点があった。
従って，本発明は上記事情に鑑みてなされたものであり，その目的とするところは，大型の映像表示部を備える等により，操作器からの信号光の導入位置を上下に離れて配置すると上側の信号光導入位置が天井（室内照明）に近い位置となる映像表示装置やそれに類する電子機器において，インバータ式照明の下に置かれた場合でも，装置本体から操作器までの距離の遠近によらず，操作器からの信号光を正常に検出できる映像表示装置及び電子機器を提供することにある。
【課題を解決するための手段】
【０００４】
上記目的を達成するために本発明は，外部の操作器（いわゆるリモコンや，携帯電話機など）から送信される信号光を受光し，その信号光の変調内容に応じた処理を実行する映像表示装置に関し，次の（１）〜（３）に示す各構成要素を備えるものである。
（１）第１の光導入位置から導入される前記信号光の光電変換を行う第１の光電変換手段及びその光電変換後の電気信号に基づいて前記信号光の変調内容に応じた第１の検出信号を生成する第１の信号生成手段を備えた１又は複数の第１の受信手段。
（２）前記第１の光導入位置よりも上方に位置する第２の光導入位置から導入される前記信号光の光電変換を行う第２の光電変換手段及びその光電変換後の電気信号に基づいて前記信号光の変調内容に応じた第２の検出信号を生成する第２の信号生成手段を備え，前記第１の受信手段よりも導入される前記信号光の強度に対する検出信号生成の感度が低い１又は複数の第２の受信手段。
（３）前記第１の検出信号及び前記第２の検出信号に基づいて前記信号光の変調内容に応じた処理を実行する情報処理手段。
例えば，前記第１の光導入位置は，映像表示部よりも下側の位置又は前記映像表示部の下端近傍の位置であり，また，前記第２の光導入位置は，前記映像表示部よりも上側の位置又は前記映像表示部の上端近傍の位置である。
なお，前記信号光の典型例は赤外光である。
【０００５】
本発明に係る映像表示装置は，大型の映像表示部を備える等により，操作器からの信号光の導入位置を上下に離れて配置すると上側の信号光導入位置が天井付近のインバータ式照明に近い位置となる場合でも，装置本体から操作器までの距離の遠近によらず，操作器からの信号光を正常に検出できる。
即ち，インバータ式照明からのノイズ光は，比較的高いエネルギーを維持して上側の前記第２の光導入位置に進入するが，低感度の前記第２の受信手段はそのノイズ光を誤って検出しない。
また，装置本体から比較的遠い位置で操作器が操作された場合，その信号光が広がってほぼ確実に前記第１の光導入位置（下側）及び前記第２の光導入位置（上側）に到達し，その光エネルギーは比較的低いものの，少なくとも高感度の前記第１の受信手段によって操作器からの信号光を正常に検出できる。このとき，前記第１の光導入位置（下側）に到達するインバータ式照明からのノイズ光のエネルギーは非常に低いので，十分なＳ／Ｎ比が確保される。
一方，装置本体から比較的近い位置で操作器が操作された場合，その信号光は前記第１の光導入位置（下側）又は前記第２の光導入位置（上側）のいずれかにしか到達しない状況となりやすい。ここで，信号光が前記第１の光導入位置（下側）に到達した場合，その信号光は，高感度の前記第１の受信手段によって正常に検出される。また，信号光が前記第２の光導入位置（上側）に到達した場合，近距離から送信されてエネルギーの高いその信号光は，低感度の前記第２の受信手段によっても正常に検出される。
従って，前記情報処理手段が，前記第１の検出信号と前記第２の検出信号との論理和信号又は前記第１の検出信号と前記第２の検出信号とを合成した信号に基づいて処理を実行すれば，装置本体から操作器までの距離の遠近によらず，操作器からの信号光に応じた正常な処理を実行できる。
【０００６】
前記第１の受信手段の感度と前記第２の受信手段の感度とに差を設ける具体的構成としては，以下のような構成が考えられる。
例えば，前記第２の受信手段が，前記第２の光導入位置から前記第２の光電変換手段までの光路において，前記第２の光電変換手段により受光される前記信号光の光エネルギーを低下させることにより，前記第１の受信手段よりも前記検出信号生成の感度を低下させる光減衰手段を具備することが考えられる。
この場合，前記光減衰手段としては，前記信号光の透過を制限する光フィルタ，前記信号光の光路の一部を遮る遮光手段又は前記信号光をその一部が前記第２の光電変換手段の受光部以外へ到達するよう導く導光手段のいずれかが考えられる。
これにより，ごくシンプルな構成によって前記第１の受信手段と前記第２の受信手段との間で信号検出感度に差を設けることができる。
一方，前記第２の信号生成手段による電気信号の検出感度が，前記第１の信号生成手段における電気信号の検出感度よりも低いものであってもよい。
この場合，本発明に係る映像表示装置が，前記第２の信号生成手段における電気信号の検出感度を変更する感度調節手段をさらに具備すことが考えられる。
これにより，設置環境（インバータ式照明からのノイズ光の強さ）に応じて前記第２の受信手段の信号検出感度を調節でき好適である。
ここで，前記感度調節手段が，所定の操作部を通じて入力される情報に従って，前記第２の信号生成手段における電気信号の検出感度を変更すること（手動での感度調節）も考えられるが，以下に示すように自動感度調節を行う機能を備えればなお利便性が高まり好適である。
例えば，本発明に係る映像表示装置が，次の（４）及び（５）に示す各構成要素をさらに備えることが考えられる。
（４）前記情報処理手段により前記第２の検出信号に基づいて前記信号光の変調内容に応じた処理を実行しない調整モードとそれを解除したモードとを切り替えるモード切替手段。
（５）前記調整モードであるときの前記第２の検出信号の状態に基づいて，前記感度調節手段を通じて前記第２の信号生成手段における電気信号の検出感度を自動調節する感度自動調節手段。
ここで，前記感度自動調節手段は，例えば，インバータ式照明の下において，前記第２の検出信号の状態を監視しながら前記感度調節手段を通じて前記第２の信号生成手段の信号検出感度を初期状態から徐々に下げ，前記第２の検出信号が信号有りの状態から信号無しの状態に変化したときの感度を，以後の前記第２の信号生成手段の信号検出感度として設定及び記憶手段に記憶すればよい。
また，前記第２の光電変換手段による光電変換の感度（変換ゲイン）が前記第１の光電変換手段による光電変換の感度よりも低いものであることも考えられる。
また，本発明は，以上に示した本発明に係る映像表示装置と同様の構成要素を備えた電子機器として捉えることもできる。
これにより，大型の映像表示部を備えた映像表示装置と同様に，操作器からの信号光の導入位置を上下に離れて配置すると上側の信号光導入位置が天井（室内照明）に近い位置となる電子機器において，前記映像表示装置と同様の作用効果が得られる。
【発明の効果】
【０００７】
本発明によれば，大型の映像表示部を備える等により，操作器からの信号光の導入位置を上下に離れて配置すると上側の信号光導入位置が天井（室内照明）に近い位置となる映像表示装置やそれに類する電子機器において，インバータ式照明の下に置かれた場合でも，装置本体から操作器までの距離の遠近によらず，操作器からの信号光を正常に検出できる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示装置Ｘの概略斜視図，図２は映像表示装置Ｘが備えるメイン受信部（下側の受信部）の概略断面図，図３は映像表示装置Ｘが備えるサブ受信部（上側の受信部）の概略断面図，図４は映像表示装置Ｘの主要部の概略構成を表すブロック図，図５は映像表示装置Ｘから遠い位置で操作器が操作された場合の信号光の到達範囲を模式的に表した図，図６は映像表示装置Ｘから近い位置で操作器が操作された場合の信号光の到達範囲を模式的に表した図，図７は映像表示装置Ｘが備えるメイン受信部及びサブ受信部それぞれの検出信号及びその合成信号の第１の例を表すタイムチャート，図８は映像表示装置Ｘが備えるメイン受信部及びサブ受信部それぞれの検出信号及びその合成信号の第２の例を表すタイムチャート，図９は映像表示装置Ｘにおけるサブ受信部の第２実施形態を表す概略断面図及びブロック図である。
【０００９】
まず，図１〜図４を参照しつつ，本発明の実施形態に係る映像表示装置Ｘの構成について説明する。
映像表示装置Ｘは，例えば，５０インチ以上の大型の液晶表示パネルやプラズマ表示パネルなどの映像表示部１を備えたテレビジョン受像機などであり，外部の操作器４０（いわゆるリモコンや，携帯電話機など）から送信される赤外線の信号光を，複数の光導入位置Ｐ１，Ｐ２から装置内へ導入して受光し，その信号光の変調内容に応じた処理を実行するものである。
前記操作器４０は，複数の操作キー（操作部）が設けられており，操作されたキーに応じた強度変調がなされた信号光として赤外光を出力（送信）する。
映像表示装置Ｘの前面は，中央から縁部にかけての大部分が大型の映像表示部１で占められ，その周囲の筐体２の部分に複数の光導入位置Ｐ１，Ｐ２が配置されている。ここで，前記第１の光導入位置Ｐ１よりも前記第２の光導入位置Ｐ２の方が上方に位置する。
図１に示す映像表示装置Ｘにおいて，前記第１の光導入位置Ｐ１は，前記映像表示部１よりも下側（映像表示部１の下辺よりも下方）の位置又は前記映像表示部１の下端近傍の位置であり，また，前記第２の光導入位置Ｐ２は，前記映像表示部よりも上側の位置又は前記映像表示部の上端近傍の位置である。
映像表示装置Ｘは，操作器４０からの信号光を受光して，その信号光の変調内容に応じた信号（以下，検出信号という）を生成する２つの受信部を備えている。以下，下側の前記第１の光導入位置Ｐ１から導入される信号光を検出する受信部をメイン受信部１０，上側の前記第２の光導入位置Ｐ２から導入される信号光を検出する受信部をサブ受信部２０という。
また，図４（主要部のブロック図）に示すように，映像表示装置Ｘは，前記メイン受信部１０によって生成される検出信号（後述するメイン検出信号Ｓｇ１）及び前記サブ受信部２０によって生成される検出信号（後述するサブ検出信号Ｓｇ２）に基づいて，前記操作器４０から送信される信号光の変調内容に応じた処理を実行する制御部３０（前記情報処理手段の一例）をさらに備えている。
前記制御部３０は，所定のプログラムを実行することによって各種演算処理を行うＭＰＵ３１と，そのＭＰＵ３１によって実行されるプログラムが記憶されるＲＯＭ３２と，前記ＭＰＵ３１が演算処理を実行する過程で参照或いは記録されるデータが記憶されるＥＥＰＲＯＭ３３とを備えている。
例えば，前記制御部３０は，信号光の変調内容に応じて，チャンネル選局処理や音量調節処理などを実行する。
なお，映像表示装置Ｘは，一般的なテレビジョン受像機が備える不図示の他の構成要素も備えているが，ここではその説明を省略する。
【００１０】
図２は，前記第１の光導入位置Ｐ１から導入される信号光を受信するメイン受信部１０の概略断面図である。
前記メイン受信部１０（前記第１の受信手段の一例）は，前記第１の光導入位置Ｐ１に配置された導光部１１，その導光部１１の背面側に配置された光電変換素子１２及び検出信号生成回路１３を備えている。以下，メイン受信部１０における光電変換素子１２及び検出信号生成回路１３のことを，第１光電変換素子１２及び第１検出信号生成回路１３という。
前記導光部１１は，前記第１の光導入位置Ｐ１に到達した信号光を装置内（筐体２の内側）へ導く部材であり，例えば，信号光を透過させるアクリルやガラスなどからなる部材である。図２に示す導光部１１は，映像表示装置Ｘの前面の筐体２に設けられた穴に嵌入されている。この導光部１１の背面側の端部は凹レンズ形状であり，これにより，前面側から斜めに入射した信号光についても，その多くが前記第１光電変換素子１２に導かれる。
前記第１光電変換素子１２及び前記第１検出信号生成回路１３は，例えば，それらを併せてフォトトランジスタとして提供される光検出センサである。
前記第１光電変換素子１２は，例えばフォトダイオードなどであり，前記第１の光導入位置Ｐ１から前記導光部１１を通じて導入される信号光の光電変換を行うものである（前記第１の光電変換手段の一例）。
前記第１検出信号生成回路１３は，例えばフォトトランジスタを構成するトランジスタ回路などであり，前記第１光電変換素子１２による光電変換によって得られる電気信号に基づいて，強度変調された信号光の変調内容に応じた検出信号（以下，メイン検出信号Ｓｇ１という）を生成する回路である（前記第１の信号生成手段の一例）。即ち，前記メイン検出信号Ｓｇ１は，前記第１光電変換素子１２によって受光される信号光の強度変調（ＯＮ／ＯＦＦ）のタイミングと同期してＯＮ又はＯＦＦが変化するパルス列信号である。
但し，前記第１検出信号生成回路１３は，前記第１光電変換素子１２によって受光される信号光の強度（光エネルギー），即ち，光電変換によって得られる電気信号の電流レベルが所定の設定レベルに満たない場合は，メイン検出信号Ｓｇ１をＯＦＦ（信号光の受信がないときと同じ状態）とするように不感帯が設定されている。
【００１１】
図３は，前記第２の光導入位置Ｐ２から導入される信号光を受信するサブ受信部２０の概略断面図である。
前記サブ受信部２０（前記第２の受信手段の一例）も，前記メイン受信部１０と同様に，前記第２の光導入位置Ｐ２に配置された導光部２１，その導光部２１の背面側に配置された光電変換素子２２及び検出信号生成回路２３を備えている。以下，サブ受信部２０における光電変換素子２２及び検出信号生成回路２３のことを，第２光電変換素子２２及び第２検出信号生成回路２３という。
これらサブ受信部２０における導光部２１，前記第２光電変換素子２２及び前記第２検出信号生成回路２３は，それぞれ前記メイン受信部１０における前記導光部１１，前記第１光電変換素子１２及び前記第１検出信号生成回路１３と同じものである。
これにより，サブ受信部２０（前記第２の受信手段の一例）において，前記第２光電変換素子２２が，前記第１の光導入位置Ｐ１よりも上方に位置する第２の光導入位置Ｐ２から導入される信号光の光電変換を行う（前記第２の光電変換手段の一例）。
また，前記第２検出信号生成回路２３が，前記第２光電変換素子２２の光電変換により得られた電気信号に基づいて，信号光の変調内容に応じた信号（以下，サブ検出信号Ｓｇ２という）を生成する（前記第２の信号生成手段の一例）。
但し，サブ受信部２０は，前記メイン受信部１０よりも導入される信号光の強度に対する検出信号生成の感度が低い。
即ち，前記メイン受信部１０の感度と前記サブ受信部２０の感度とに差が設けられている。
【００１２】
本実施形態では，前記サブ受信部２０には，前記第２の光導入位置Ｐ２から前記第２光電変換素子２２までの光路において，その第２光電変換素子２２により受光される信号光の光エネルギーを低下させる光フィルタ２４（前記光減衰手段の一例）が設けられている。この光フィルタ２４は，信号光（赤外光）の信号光の透過を制限するのフィルムや光学フィルタ等である。この光フィルタ２４によって第２光電変換素子２２により受光される信号光の光エネルギーを低下させることにより，前記サブ受信部２０は，前記メイン受信部１０よりも検出信号生成の感度が低くなるよう構成されている。
なお，信号光の光エネルギーを低下させるものとしては，前記光フィルタ２４の他，信号光の光路の一部を遮る遮光手段（アパーチャなど）や，信号光をその一部が前記第２光電変換素子２２の受光部以外へ到達するよう導く（光の進路を変える）導光手段なども考えられる。この導光手段は，例えば，前記導光部２１の背面側端部の形状を前記導光部１１と異なる形状にすること等によって実現できる。
以上に示したように，信号光を減衰させるというごくシンプルな構成によって前記メイン受信部１０と前記サブ受信部２０との間で信号検出感度に差を設けることができる。
【００１３】
次に，図５及び図７を参照しつつ，映像表示装置Ｘから遠い位置で操作器４０が操作された場合の信号光の到達範囲及び検出信号の状態について説明する。
図７は，映像表示装置Ｘから遠い位置で操作器４０が操作された場合の両検出信号Ｓｇ１，Ｓｇ２及びそれらの合成信号のタイムチャートである。なお，縦軸が信号レベル（ＯＮ／ＯＦＦ），横軸が時間軸である。
映像表示装置Ｘの本体から比較的遠い位置で操作器４０が操作された場合，図５に示すように，その信号光が広がってほぼ確実に前記第１の光導入位置Ｐ１（下側）及び前記第２の光導入位置Ｐ２（上側）に到達する。その際，各光導入位置Ｐ１，Ｐ２に到達する信号光の光エネルギーは比較的低いものの，少なくとも高感度の前記メイン受信部１０（下側）により，操作器４０からの信号光を正常に検出できる（図７におけるメイン検出信号Ｓｇ１のチャートを参照）。このとき，前記第１の光導入位置Ｐ１（下側）に到達するインバータ式照明からのノイズ光のエネルギーは非常に低いので，十分なＳ／Ｎ比が確保される。
ここで，大型の映像表示部１より上側或いはその上端付近に存在する前記第２の光導入位置Ｐ２が，天井付近のインバータ式照明に近いため，そのインバータ式照明からのノイズ光は，比較的高いエネルギーを維持して上側の前記第２の光導入位置Ｐ２に到達する。
しかしながら，映像表示装置Ｘにおける上側の前記サブ受信部２０は，信号検出感度が低いため，そのノイズ光を誤って検出しない（図７におけるサブ検出信号Ｓｇ２のチャートを参照）。
従って，両検出信号Ｓｇ１，Ｓｇ２を合成した信号及びそれらの論理和信号は，前記メイン検出信号Ｓｇ１と同じく信号光の強度変調の内容を表す信号となる。
【００１４】
次に，図６及び図８を参照しつつ，映像表示装置Ｘから近い位置で操作器４０が操作された場合の信号光の到達範囲及び検出信号の状態について説明する。
図８は，映像表示装置Ｘから近い位置で操作器４０が操作された場合の両検出信号Ｓｇ１，Ｓｇ２及びそれらの合成信号のタイムチャートである。なお，縦軸が信号レベル（ＯＮ／ＯＦＦ），横軸が時間軸である。
映像表示装置Ｘの本体から比較的近い位置で操作器４０が操作された場合，その信号光は，図６（ａ）又は（ｂ）に示すように，前記第１の光導入位置Ｐ１（下側）又は前記第２の光導入位置Ｐ２（上側）のいずれかにしか到達しない状況となりやすい。
ここで，図６（ｂ）に示すように，信号光が前記第１の光導入位置Ｐ１（下側）に到達した場合，その信号光は，図７に示したのと同様に，高感度の前記メイン受信部１０によって正常に検出される（図７におけるメイン検出信号Ｓｇ１のチャート参照）。このとき，信号光が到達しない前記サブ受信部２０では，図７に示したのと同様に信号光は検出されない（図７におけるサブ検出信号Ｓｇ２のチャート参照）。
一方，図６（ａ）に示すように，信号光が前記第２の光導入位置Ｐ２（上側）に到達した場合，近距離から送信されてエネルギーの高いその信号光は，低感度の前記サブ受信部２０によっても正常に検出される（図８におけるサブ検出信号Ｓｇ２のチャートを参照）。このとき，信号光が到達しない前記メイン受信部１０では信号光は検出されない（図８におけるメイン検出信号Ｓｇ１のチャート参照）。
従って，両検出信号Ｓｇ１，Ｓｇ２を合成した信号及びそれらの論理和信号は，前記サブ検出信号Ｓｇ２と同じく信号光の強度変調の内容を表す信号となる。
【００１５】
以上より，前記制御部３０は，両検出信号Ｓｇ１，Ｓｇ２を合成した信号及びそれらの論理和信号に基づいて，信号光による伝送情報を判別し，その判別結果に応じた処理を実行する。これにより，前記制御部３０は，装置本体から操作器４０までの距離の遠近によらず，操作器４０からの信号光に応じた正常な処理を実行できる。
例えば，前記映像表示部１の画面サイズが５０インチである場合，信号光（赤外光）の透過率が１０％〜２０％程度の前記光フィルタ２４を採用すること等により，前記サブ受信部２０の検出信号生成の感度が，前記メイン受信部１０のそれよりも１０％〜２０％程度となるようにすれば好適である。
【００１６】
ところで，前記メイン受信部１０の感度と前記サブ受信部２０の感度とに差を設けるための構成としては，他の実施形態も考えられる。
例えば，前記第２検出信号生成回路２３による電気信号の検出感度が，前記第１検出信号生成回路１３における電気信号の検出感度よりも低くなるように，それぞれ不感帯が異なる第１検出信号生成回路１３及び第２検出信号生成回路２３を採用することが考えられる。
また，映像処理装置Ｘにおいて，前記サブ受信部２０に，前記第２検出信号生成回路２３における電気信号の検出感度（不感帯を定める設定電流レベル）を変更する感度調節回路２５（前記感度調節手段の一例）を加えた第２実施形態に係るサブ受信部（以下，サブ受信部２０’という）を採用することも考えられる。
図９は，前記第２サブ受信部２０’の概略断面図及びブロック図である。
図９に示す前記感度調節回路２５は，前記制御部３０からの制御指令に従って，前記第２検出信号生成回路２３における信号検出の不感帯を定める設定電流信号を供給する。
これにより，設置環境（インバータ式照明からのノイズ光の強さ）に応じて前記サブ受信部２０’の信号検出感度を調節でき好適である。
ここで，前記制御部３０が前記操作器４０の操作キーに対する感度調整操作によって入力される情報に応じた制御指令を前記感度調節回路２５に出力することにより，前記感度調節回路２５が，前記操作器４０を通じて入力される情報に従って，前記第２検出信号生成回路２３における電気信号の検出感度を変更すること（手動での感度調節）が考えられる。
【００１７】
また，映像表示装置Ｘが，例えば以下に示すような自動感度調節を行う機能を備えればなお利便性が高まり好適である。
例えば，前記制御部３０が，前記操作器４０の操作キーに対する所定の感度調整モード切替操作によって入力される情報に応じて，当該制御部３０により前記サブ検出信号Ｓｇ２に基づいて信号光の変調内容に応じた処理を実行しない調整モードへ移行する処理と，その移行から所定時間後にその調整モードを解除した元の状態（通常モード）へ戻す処理とを切り替える（前記モード切替手段の一例）。
さらに，前記制御部３０が，前記調整モードであるときの前記サブ検出信号Ｓｇ２の状態に基づいて，前記感度調節回路２５を通じて前記第２検出信号生成回路２３における電気信号の検出感度を自動調節する（前記感度自動調節手段の一例）。なお，前記調整モードにおいては，前記操作器４０の操作がなされない（即ち，信号光が発生しない）ものとする。
より具体的には，前記制御部３０は，例えばインバータ式照明の下において，前記サブ検出信号Ｓｇ２の発生状態を監視しながら，前記感度調節回路２５を通じて前記第２検出信号生成回路２３の信号検出感度を初期状態から徐々に下げる。
そして，前記制御部３０は，前記サブ検出信号Ｓｇ２が信号有りの状態（即ち，ノイズ光を誤検出している状態）から信号無しの状態（即ち，ノイズ光を誤検出しない状態）に変化したときの感度（設定電流レベル）の情報を前記ＥＥＰＲＯＭ３３に記憶させ，以後，その感度が前記第２検出信号生成回路２３に設定されるように前記感度調節回路２５を制御する。
これにより，前記サブ受信部２０の信号検出感度が，ノイズ光の影響を受けない範囲で最大となるよう自動設定される。
【００１８】
また，前記メイン受信部１０の感度と前記サブ受信部２０の感度とに差を設けるための構成としては，前記第２光電変換素子２２による光電変換の感度（変換ゲイン）が前記第１光電変換素子１２による光電変換の感度よりも低くなるように，それぞれ感度（変換ゲイン）の異なる前記第１光電変換素子１２及び第２光電変換素子２２を採用することも考えられる。また，前記第１光電変換素子１２と前記第１検出信号生成回路１３との間に，光電変換後の電気信号を増幅するアンプが設けられた構成も考えられる。
また，前述した実施形態では，前記第１の光導入位置Ｐ１及び前記第２の光導入位置Ｐ２がそれぞれ１箇所ずつ，そのそれぞれに対応する前記メイン受信部１０及び前記サブ受信部２０がそれぞれ１つずつ（計２つ）である例を示したが，前記第１の光導入位置Ｐ１及び前記メイン受信部１０が複数，前記第２の光導入位置Ｐ２及び前記サブ受信部２０が複数設けられたものも考えられる。
例えば，１箇所の前記第１の光導入位置Ｐ１及びこれに対応する１つの前記メイン受信部１０を前記映像表示部１の左右方向中央における下端の下側に配置し，２箇所の前記第２の光導入位置Ｐ２及びそれらに対応する２つの前記サブ受信部２０を前記映像表示部１の上端の左右それぞれの角部付近に配置した構成などが考えられる。
また，本発明は，大型の映像表示部１を備えた映像表示装置Ｘと同様に，操作器４０からの信号光の導入位置Ｐ１，Ｐ２を上下に離れて配置すると上側の信号光導入位置Ｐ２が天井（室内照明）に近い位置となる電子機器に適用しても，前記映像表示装置Ｘと同様の作用効果が得られる。
【産業上の利用可能性】
【００１９】
本発明は，テレビジョン受像機等の映像表示装置や電子機器に利用可能である。
【図面の簡単な説明】
【００２０】
【図１】本発明の実施形態に係る映像表示装置Ｘの概略斜視図。
【図２】映像表示装置Ｘが備えるメイン受信部（下側の受信部）の概略断面図。
【図３】映像表示装置Ｘが備えるサブ受信部（上側の受信部）の概略断面図。
【図４】映像表示装置Ｘの主要部の概略構成を表すブロック図。
【図５】映像表示装置Ｘから遠い位置で操作器が操作された場合の信号光の到達範囲を模式的に表した図。
【図６】映像表示装置Ｘから近い位置で操作器が操作された場合の信号光の到達範囲を模式的に表した図。
【図７】映像表示装置Ｘが備えるメイン受信部及びサブ受信部それぞれの検出信号及びその合成信号の第１の例を表すタイムチャート。
【図８】映像表示装置Ｘが備えるメイン受信部及びサブ受信部それぞれの検出信号及びその合成信号の第２の例を表すタイムチャート。
【図９】映像表示装置Ｘにおけるサブ受信部の第２実施形態を表す概略断面図及びブロック図。
【符号の説明】
【００２１】
Ｘ  ：映像表示装置
１  ：映像表示部
２  ：筐体
１０：メイン受信部
１１：第１導光部
１２：第１光電変換素子
１３：第１検出信号生成回路
２０，２０’：サブ受信部
２１：第２導光部
２２：第２光電変換素子
２３：第２検出信号生成回路
２４：光フィルタ
２５：感度調節回路
３０：制御部
３１：ＭＰＵ
３２：ＲＯＭ
３３：ＥＥＰＲＯＭ
４０：操作器
Ｐ１：第１の光導入位置
Ｐ２：第２の光導入位置
【図１】
2008199434.tif 000003
【図２】
2008199434.tif 000004
【図３】
2008199434.tif 000005
【図４】
2008199434.tif 000006
【図５】
2008199434.tif 000007
【図６】
2008199434.tif 000008
【図７】
2008199434.tif 000009
【図８】
2008199434.tif 000010
【図９】
2008199434.tif 000011